(57)【特許請求の範囲】
【請求項１】
構造物の取付面上に略板状のパネル体を固定するためのパネル固定構造であって、
前記取付面上に延設され、少なくとも一方の側縁から幅方向に突出する係止縁部によって内部の幅よりも開口部の幅の方が狭くなるように形成された係止溝と、
略軸状で、基端が前記パネル体に対して軸回りに回転可能に、該パネル体の一縁端側に配設されるとともに、先端が前記係止溝内に挿入され、該先端には前記係止溝に挿脱可能な幅で被係止片が遠心方向に向かって突出して設けられた被係止部材を有する固定手段とを備え、
前記固定手段は、前記パネル体に固定されるとともに、前記被係止部材が軸回りに回転可能に配設されたパネル支持部を有し、
前記パネル体は、前記被係止部材の前記被係止片と前記パネル体または該パネル体に固定された部材との間で前記係止溝の前記係止縁部を挟持することで前記構造物に対して固定され、前記被係止部材の前記被係止片と前記パネル支持部との間で前記係止溝の前記係止縁部を挟持することで固定されていることを特徴とするパネル固定構造。
【請求項２】
前記被係止部材の前記被係止片は、自らの幅方向一方の縁部側で前記係止縁部と接触するとともに、他方の縁部側で前記係止縁部から離間するようにテーパ状に形成されていることを特徴とする請求項１に記載のパネル固定構造。
【請求項３】
前記パネル支持部は、前記パネル体に着脱可能に固定されていることを特徴とする請求項１または２に記載のパネル固定構造。
【請求項４】
前記パネル支持部は、前記パネル体を挟持して締め付けることで該パネル体を固定する一対の挟持部材によって構成されていることを特徴とする請求項１から３のいずれかに記載のパネル固定構造。
【請求項５】
前記被係止部材は、基端に略円板状に張り出したフランジ部を有し、
前記パネル支持部は、内部に前記フランジ部を軸回りに回転可能に収容する収容空間を有していることを特徴とする請求項１から４のいずれかに記載のパネル固定構造。
【請求項６】
前記パネル支持部には外部と前記収容空間とを連通する窓部が形成されていることを特徴とする請求項５に記載のパネル固定構造。
【請求項７】
前記被係止部材の前記フランジ部には、前記パネル支持部の前記窓部から露出するように凹部が形成されていることを特徴とする請求項６に記載のパネル固定構造。
【請求項８】
前記係止溝の前記係止縁部は、両側縁から突出して設けられていることを特徴とする請求項１から請求項７のいずれかに記載のパネル固定構造。
【請求項９】
前記被係止部材の先端には、前記係止溝の前記係止縁部のそれぞれを挟持可能に、前記被係止片が対をなして設けられていることを特徴とする請求項８に記載のパネル固定構造。
【発明の詳細な説明】
【技術分野】
【０００１】
本発明は、構造物の取付面上に、簡易な取付操作によって、安定的にパネル体を支持することのできるパネル固定構造に関するものである。
【背景技術】
【０００２】
一般に、構造物の取付面上にパネル体を立設するための構造として、取付面上から上方に向かって左右一対の把持突条を突設させ、その把持突条によってパネル体下端部を把持するものが提案されている（例えば、特許文献１）。
また、取付面上に凹溝のみを形成しておき、凹溝の幅と略同幅に形成されたパネル体の下端部を凹溝に嵌合させることによって、パネル体を支持する構造も提案されている（例えば、特許文献２）。
更に、別のパネル体立設構造として、取付状態におけるパネル体のガタツキを抑えるため、パネル体を前後から取付面に設けられた係止溝に締め付けて、パネル体を取付面に固着する構造が提案されている（例えば、特許文献３）。
【特許文献１】特開２００７−１８２７１７号公報
【特許文献２】実開平０７−０２３１２２号公報
【特許文献３】特開２００３−０１３５２０号公報
【発明の開示】
【発明が解決しようとする課題】
【０００３】
しかし、従来の特許文献１に提案されたパネル立設構造にあっては、取付面上に突条や突条取付孔等の加工を施す必要があるために、パネル体を取り付けないで使用する場合において、取付面の体裁が悪くなってしまうという問題が存在した。
また、特許文献２に提案された構造では、簡易な加工でパネル体を支持することができると共に、パネル体を取り付けない場合における取付面を体裁良く収めることが出来るものの、パネル体と凹溝との嵌合によってのみパネル体が支持されていることから、取り付け上体にガタツキが生じてしまい、パネル体を安定して支持することが出来なかった。
更に、特許文献３に提案された構造では、取付面の係止溝に対するパネル体の取付位置を変更したい場合に、一度分解して取り付け直さなければならず、取り付け作業が煩雑であった。
【０００４】
本発明は、上記に鑑み提案されたもので、構造物の取付面上に、簡易な取付操作によって、安定的にパネル体を支持することができると共に、パネル体を取り付けない場合でも体裁を損なうことのないパネル固定構造を提供することを目的とする。
【課題を解決するための手段】
【０００５】
前記目的を達成するために、本願発明は構造物の取付面上に略板状のパネル体を固定するためのパネル固定構造であって、前記取付面上に延設され、少なくとも一方の側縁から幅方向に突出する係止縁部によって内部の幅よりも開口部の幅の方が狭くなるように形成された係止溝と、略軸状で、基端が前記パネル体に対して軸回りに回転可能に、該パネル体の一縁端側に配設されるとともに、先端が前記係止溝内に挿入され、該先端には前記係止溝に挿脱可能な幅で被係止片が遠心方向に向かって突出して設けられた被係止部材を有する固定手段とを備え、前記固定手段は、前記パネル体に固定されるとともに、前記被係止部材が軸回りに回転可能に配設されたパネル支持部を有し、前記パネル体は、前記被係止部材の前記被係止片と前記パネル体または該パネル体に固定された部材との間で前記係止溝の前記係止縁部を挟持することで前記構造物に対して固定され、前記被係止部材の前記被係止片と前記パネル支持部との間で前記係止溝の前記係止縁部を挟持することで固定されていることを特徴とする。
【０００６】
この発明に係るパネル固定構造では、構造物の取付面上にパネル体を固定するには、パネル体に対して一縁端側で回転可能に配設された被係止部材の被係止片を係止溝に挿入させる。そして、パネル体に対して被係止部材を回転させることで、パネル体またはパネル体に固定された部材と被係止部材の被係止片とによって係止溝の係止縁部が挟持されることとなり、これによりパネル体を構造物の取付面上に固定することができる。また、被係止部材を回転して被係止片による係止縁部の挟持を解除することによって、パネル体を係止溝に沿って移動させて、容易にパネル体の位置を変更することができる。また、パネル体を取り付けない場合でも、構造物の取付面上には係止溝が延設されているだけであるので、体裁を損なうことがない。
また、パネル支持部によってパネル体を確実に固定することができるとともに、パネル支持部と被係止片との間で係止縁部を挟持することで確実に構造物の取付面上に固定することができる。
【０００７】
また、本願発明において、前記被係止部材の前記被係止片は、自らの幅方向一方の縁部側で前記係止縁部と接触するとともに、他方の縁部側で前記係止縁部から離間するようにテーパ状に形成されていることを特徴とするものである。
【０００８】
この発明に係るパネル固定構造では、係止溝の係止縁部を被係止片によって挟持するために被係止部材を回転させる際に、被係止片がテーパ状に形成されているので最初は容易に回転可能である。一方、回転とともに係止縁部に対する被係止片による押圧する力が大きくなり、係止縁部は確実に挟持されることとなる。このため、被係止部材の回転動作によって、より容易かつより安定的に構造物の取付面上にパネル体を固定することができる。
【００１１】
また、本願発明において、前記パネル支持部は、前記パネル体に着脱可能に固定されていることを特徴とするものである。
【００１２】
この発明に係るパネル固定構造では、パネル支持部がパネル体に着脱可能に固定されているので、より多様なパネル体を構造物の取付面上に取り付けることができる。
【００１３】
また、本願発明において、前記パネル支持部は、前記パネル体を挟持して締め付けることで該パネル体を固定する一対の挟持部材によって構成されていることを特徴とするものである。
【００１４】
この発明に係るパネル固定構造では、パネル支持部がパネル体を挟持して締め付けることでパネル体を固定する一対の挟持部材によって構成されているので、多様なパネル体を簡易に着脱することができる。
【００１５】
また、本願発明において、前記被係止部材は、基端に略円板状に張り出したフランジ部を有し、前記パネル支持部は、内部に前記フランジ部を軸回りに回転可能に収容する収容空間を有していることを特徴とするものである。
【００１６】
この発明に係るパネル固定構造では、被係止部材が基端にフランジ部を有し、パネル支持部が内部にフランジ部を軸回りに回転可能に収容する収容空間を有しているので、簡易で安価な構造で被係止部材を形成し、回転させることができる。
【００１７】
また、本願発明において、前記パネル支持部には外部と前記収容空間とを連通する窓部が形成されていることを特徴とするものである。
【００１８】
この発明に係るパネル固定構造では、パネル支持部には外部と収容空間とを連通する窓部が形成されているので、窓部から被係止部材を回転操作することができ、より簡易に被係止部材を回転させてパネル体を固定することができる。
【００１９】
また、本願発明において、前記被係止部材の前記フランジ部には、前記パネル支持部の前記窓部から露出するように凹部が形成されていることを特徴とするものである。
【００２０】
この発明に係るパネル固定構造では、パネル支持部の窓部から露出するように凹部が形成されているので、凹部に操作棒先端を差し込んで被係止部材を容易に操作することができる。また、被係止部材を意図せず操作してしまうことを防止することができる。
【００２１】
また、本願発明において、前記係止溝の前記係止縁部は、両側縁から突出して設けられていることを特徴とするものである。
【００２２】
この発明に係るパネル固定構造では、係止溝の係止縁部が両側縁から突出していることで、被係止部材をいずれの方向に回転させても被係止片によっていずれかの係止縁部を挟持して固定することができ、より簡易にパネル体を固定することができる。
【００２３】
また、本願発明において、前記被係止部材の先端には、前記係止溝の前記係止縁部のそれぞれを挟持可能に、前記被係止片が対をなして設けられていることを特徴とするものである。
【００２４】
この発明に係るパネル固定構造では、対をなす被係止片によって両側縁の係止縁部を挟持することができるので、より安定的にパネル体を固定することができる。
【発明の効果】
【００２５】
本発明のパネル固定構造によれば、係止縁部を有する係止溝と、被係止片を有する被係止部材とを備えることで、構造物の取付面上に、簡易な取付操作によって、安定的にパネル体を支持することができると共に、パネル体を取り付けない場合でも構造物の体裁を損なうことがない。
【発明を実施するための最良の形態】
【００２６】
（第１の実施の形態）
以下、実施の形態を示す図面に基づいて本発明を詳細に説明する。図１は、本発明に係るパネル固定構造の一実施例を示す全体斜視図、図２は、本発明のパネル固定構造の要部断面図である。
【００２７】
ここで、図１に示すように、パネル固定構造１０は、構造物１１であるテーブル等の取付面１１ａ上に略板状のパネル体１２を固定するためのものである。図２に示すように、取付面１１ａ上に延設され、側縁から幅方向に突出する係止縁部１３によって内部の溝幅Ｈよりも開口部の幅ｈの方が狭くなるように形成された係止溝１４と、略軸状で、基端がパネル体１２の縁端１２ａに固定されたパネル支持部１５対して軸回りに回転可能に配設されるとともに、先端が係止溝１４内に挿入され、先端には係止溝１４に挿脱可能な幅で被係止片１６が遠心方向に向かって突出して設けられた被係止部材１７を有する固定手段である固定用治具１８とを備えている。
【００２８】
係止溝１４は、上面に向かって開口した幅ｈの開口部が両側から突設された係止縁部１３によって形成されると共に、幅広の内部空間が形成されている。
【００２９】
また、図５から図９に示すように、固定用治具１８において、パネル支持部１５は、略円柱状をしており、パネル体１２を挟持して締め付けることで固定する一対の挟持部材１５ａ、１５ｂから構成されている。挟持部材１５ａ、１５ｂは、それぞれ略円柱を２分割した形状をしており、対向する面にパネル体１２を狭持するための挟持凹部１９ａ、１９ｂを有している。また、挟持部材１５ａはボルト挿通孔２０を有し、対向する位置に、挟持部材１５ｂはボルトを螺合するためのネジ穴２１を有している。このボルト挿通孔２０から締め付けボルト２２を挿入し、ネジ穴２１に螺合させることで、挟持部材１５ａ、１５ｂでパネル体１２を挟持することができる。なお、挟持凹部１９ａ、１９ｂには、緩衝材２９が配設されており、狭持した際にパネル体１２に応力集中が生じないようにしている。
【００３０】
また、パネル支持部１５は、下端内部に被係止部材１７の後述するフランジ部２３を軸回りに回転可能に収容する収容空間２４を有している。更に、パネル支持部１５において、一方の挟持部材１５ａには外部と収容空間２４とを連通する窓部２５が形成されており、外部からフランジ部２３を回動させることができる。また、窓部２５には、蓋体２５ａを設け、取付作業の終了後は、窓部２５を閉じておけば体裁を良くすることができる。
【００３１】
パネル支持部１５の下端には、被係止部材１７を回動可能に支承する取付孔２６が形成されると共に、その周囲に位置決め円筒２７が形成されている。この位置決め円筒２７は、係止溝１４の開口部幅ｈと略等しい外径を有しており、パネル支持部１５を取り付ける際の位置決めを行う。
【００３２】
図１０は、被係止部材１７を示す正面図、図１１は、被係止部材１７を示す側面図、図１２は、図１１のＡ−Ａ線断面図である。被係止部材１７は、基端（上端）に略円板状に張り出したフランジ部２３を有し、先端（下端）に被係止片１６が対をなして設けられている。フランジ部２３には、パネル支持部１５の窓部２５から露出するように凹部２８が形成されており、操作棒を挿入することによって被係止部材１７を軸回りに回転させることができる。また、被係止片１６は、幅が係止溝１４の開口部の幅ｈよりも小さく設定されている。また、被係止部材１７の軸部分の外径と、軸部分から突出する被係止片１６の長さの和は、係止溝１４の開口部の幅ｈよりも大きく設定されている。さらに、被係止片１６は、自らの幅方向一方の縁部側で係止縁部１３と接触可能とするとともに、他方の縁部側で係止溝１４の係止縁部１３から離間するようにテーパ状に形成されている。つまり、被係止片１６は、幅方向に厚さが変化しており、係止溝１４の係止縁部１３と対向する面が傾斜している。傾斜方向は、被係止部材１７の回動軸線に対して点対称となっている。
【００３３】
図１３は、パネル体の一例を示す正面図である。パネル体１２は、空間を区画する仕切り面を有する平板であり、下端にパネル支持部１５に取り付ける際に締め付けボルト２２を回避するための切り込み３０を有している。
【００３４】
次に、固定構造１０によるパネル体１２の固定及び解除手順について説明する。先ず、図１３に示すようなパネル体１２の切り込み３０の位置にパネル支持部１５を取り付け、締め付けボルト２２で固定する。締め付けボルト２２を締めることにより、一対の挟持部材１５ａ、１５ｂが緩衝材２９を介してパネル体１２を挟持して固定し、円柱状体となる。次に、パネル支持部１５の位置決め円筒２７および被係止片１６を係止溝１４に挿入してスライドさせ、パネル体１２を設置すべき水平方向の位置を決める（図２参照）。
【００３５】
パネル体１２の位置が決まったら、窓部２５からフランジ部２３の凹部２８に操作棒を差し込み、被係止部材１７を回転させる。なお、係止溝１４には、両側縁に係止縁部１３が設けられているので、いずれの方向に回転させても良い。ここで、被係止片１６は、テーパ状に形成されているので、最初は各被係止片１６と各係止縁部１３との間には隙間が生じており、容易に回転可能である。一方、回転とともに係止縁部１３に被係止片１６が接触し、係止縁部１３に対する被係止片１６による押圧する力が大きくなり、各係止縁部１３は、パネル支持部１５と各被係止片１６との間に挟持され、これによりパネル体１２は、固定用治具１８を介して取付面１１ａ上に固定されることとなる（図３参照）。また、パネル体１２の位置を変更する場合にも、窓部２５からフランジ部２３の凹部２８に操作棒を差し込み、被係止部材１７を回転させ、係止縁部１３の狭持を解除することで、容易に移動できる。
【００３６】
以上のように、本実施形態のパネル固定構造１０では、被係止部材１７を回転させるだけの簡易な取付操作によって、安定的にパネル体１２を支持することができる。特に、被係止片１６がテーパ状に形成されており、また、パネル支持部１５に窓部２５を有して操作棒によって被係止部材１７を回転させることが可能であることで、より簡易に取付操作を行うことができる。また、パネル体１２を取り外した状態では、取付面１１ａには係止溝１４が延設されているだけであるので、取り付けない場合にも構造物１１の体裁を損なうことがない。また、本実施形態では、パネル支持部１５を一対の挟持部材１５ａ、１５ｂで構成し、パネル体１２を着脱可能としていることで、より多様なパネル体１２を選択し、着脱することができる。
【００３７】
なお、以上の実施の形態では、取付面１１ａが水平である場合について説明したが、取付面１１ａが鉛直であっても同様に使用することができる。また、フランジ部２３に設けた凹部２８の代わりに、操作用の突起を設けてもよい。ただし、突起を設けた場合には、外部から何らかの原因で突起に接触してしまった場合には、固定用治具１８による固定を解除してしまう恐れがあり、凹部２８を有する構成の方が被係止部材１７の意図せぬ操作を防止することができ好適である。また、係止縁部１３は、係止溝１４の両側縁に設けられ、対応する被係止片１６も対をなして設けられるものとしたが、いずれも一方のみとしても良い。
【００３８】
（第２の実施の形態）
図１４は、本発明のパネル固定構造の別の実施例を示す要部断面図である。本実施例において、パネル固定構造は、側縁から幅方向に突出する係止縁部１３によって内部の幅よりも開口部の幅の方が狭くなるように形成された係止溝１４と、略軸状で、基端がパネル体５０に対して軸回りに回転可能に配設されるとともに、先端が係止溝１４内に挿入され、先端には係止溝１４に挿脱可能な幅で被係止片５１が突出して設けられた被係止部材５２を有する固定手段等から構成されている。
【００３９】
係止溝１４の構造は、第１の実施の形態と同様であるので説明を省略する。パネル体５０は、空間を区画する仕切り面を有する平板であり、下端内部に被係止部材５２のフランジ部５４を軸回りに回転可能に収容する収容空間５５を有している。更に、パネル体５０には外部と収容空間５５とを連通する窓部５６が形成されており、外部からフランジ部５４を回動させることができる。被係止部材５２の構造は、第１の実施の形態と同様である。また、窓部５６には、蓋体５６ａを設け、固定作業の終了後に窓部５６を塞いでおくことができる。
【００４０】
以上のように構成された本発明に係るパネル固定構造の使用手順について説明する。本実施の形態では、パネル体５０に直接被係止部材５２が回転可能に配設されているので、被係止部材５２の被係止片５１を係止溝１４に挿入して横方向にスライドさせ、パネル体５０を設置すべき水平方向の位置を決める。
【００４１】
パネル体５０の位置が決まったら、窓部５６からフランジ部５４の凹部５４ａに操作棒を差し込み、被係止部材５２を回転させることにより、テーパ状に形成された被係止片５１の上面を係止縁部１３の下面に押圧させ、パネル体５０と被係止片５１との間で係止縁部１３を挟持して固定する。また、パネル体５０の位置を変更する場合にも、窓部５６からフランジ部５４の凹部に操作棒を差し込み、被係止部材５２を回転させ、係止縁部１３の狭持を解除することで、容易に移動できる。
【００４２】
このように、被係止部材５２がパネル体５０に直接回転可能に配設されている構成としても、パネル体５０と被係止部材５２の被係止片５１との間で係止溝１４の係止縁部１３を挟持して、パネル体５０を安定的に固定することができる。
【００４３】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００４４】
【図１】本発明に係るパネル固定構造の一実施例を示す全体斜視図である。
【図２】本発明に係るパネル固定構造の要部断面図である。
【図３】本発明に係るパネル固定構造によるパネル体を固定した状態を示す要部断面図である。
【図４】本発明に係るパネル固定構造における固定手段の一例を示す説明図である。
【図５】本発明に係るパネル固定構造における固定手段のパネル支持部を示す側面図である。
【図６】本発明に係るパネル固定構造における固定手段のパネル支持部を示す断面図である。
【図７】本発明に係るパネル固定構造における固定手段のパネル支持部を構成する構成要素の一方を示す正面図である。
【図８】本発明に係るパネル固定構造における固定手段の構成要素の一方を示す背面図である。
【図９】本発明に係るパネル固定構造における固定手段のパネル支持部を構成する構成要素の他方を示す背面図である。
【図１０】本発明に係るパネル固定構造における固定手段の被係止部材を示す正面図である。
【図１１】本発明に係るパネル固定構造における固定手段の被係止部材を示す側面図である。
【図１２】図１１のＡ−Ａ線断面図である。
【図１３】使用するパネル体の一例を示す正面図である。
【図１４】本発明のパネル固定構造の別の実施例を示す要部断面図である。
【符号の説明】
【００４５】
１０      パネル固定構造
１１      構造物
１１ａ  取付面
１２      パネル体
１３      係止縁部
１４      係止溝
１５      パネル支持部
１６      被係止片
１７      被係止部材
１８      固定手段
１９ａ、１９ｂ   挟持凹部
２０      ボルト挿通孔
２１      ネジ穴
２２      締め付けボルト
２３      フランジ部
２４      収容空間
２５      窓部
２６      取付孔
２７      位置決め円筒
２８      凹部
２９      緩衝材
３０      切り込み
５０      パネル体
５１      被係止片
５２      被係止部材
５３      固定手段
５４      フランジ部
５５      収容空間
５６      窓部
【図１】
0005271527.tif 000002
【図２】
0005271527.tif 000003
【図３】
0005271527.tif 000004
【図４】
0005271527.tif 000005
【図５】
0005271527.tif 000006
【図６】
0005271527.tif 000007
【図７】
0005271527.tif 000008
【図８】
0005271527.tif 000009
【図９】
0005271527.tif 000010
【図１０】
0005271527.tif 000011
【図１１】
0005271527.tif 000012
【図１２】
0005271527.tif 000013
【図１３】
0005271527.tif 000014
【図１４】
0005271527.tif 000015